(57)【要約】【課題】ナットやボルトヘッドなどを効果的に挟持でき、グリップを握る手を入れる空間を得やすく、使用しやすいペンチを提供する。【解決手段】対象物を挟持する挟持部９の先端に、傾斜面１７を形成する。この傾斜面１７は、挟持部９の挟持面１１に直交し、ペンチ長手方向に対して斜めに形成される。この傾斜面１７と挟持面１１との角に凹部１９を形成する。この凹部１９で、ナットやボルトヘッドなどの正六角柱形状物を挟持する。凹部１９は二つのフィット面２１を有して構成され正六角柱形状物にフィットする。二つのフィット面２１は、傾斜面１７に直交し、互いに１２０度をなす。【選択図】図１
2013043220.tif 000002
【特許請求の範囲】
【請求項１】
対象物を挟持する挟持部と、この挟持部の先端で挟持面に直交しペンチ長手方向に対して斜めに形成された傾斜面と、この傾斜面と前記挟持面との角に形成されて正六角柱形状物を挟持する凹部と、この凹部を構成し前記傾斜面にほぼ直交し互いに１２０度をなす二つのフィット面と、を有することを特徴とするペンチ。
【請求項２】
前記挟持部は、前記挟持面に直交する方向から見た形状が四角形であり、この四角形の角をカットするように前記傾斜面が形成されていることを特徴とする請求項１に記載のペンチ。 
【発明の詳細な説明】
【技術分野】
【０００１】
この発明は、ナットなどの正六角柱形状物を挟持することができるペンチの構造に関する。
【背景技術】
【０００２】
ナットやボルトヘッドなどの正六角柱形状物を挟持して廻すには、専用の道具であるレンチなどを用いればよい。しかし、もっとも使用頻度の高いペンチに、正六角柱形状物を効果的に挟持することができれば、レンチのような機能を持たせることにもなり、便利である。
【０００３】
下記特許文献１には、ナットを挟むペンチが提案されている。このペンチでは、対象物を挟持する挟持部で、合わされて使用される両挟持面に沿って、半円筒状の凹部が形成され、両凹部が合わされて、円筒状穴を形成する。
【先行技術文献】
【特許文献】
【０００４】
【特許文献１】特開平１０−３４５４６
【発明の概要】
【発明が解決しようとする課題】
【０００５】
しかしながら、上記特許文献１で、ナットを半円筒状の両凹部で挟んでも、ナットは両凹部に対して滑りやすく、効果的に挟持できないので、廻しにくい場合がある。
また、ナットやボルトヘッドなどは、大きな固定面に固定されていることがほとんどであり、この固定面とペンチのグリップの間に、グリップを握る手を入れる空間が必要となるが、上記特許文献１のペンチは固定面に寝かせた状態で使用せねばならず、手を入れる空間が得られにくい。よって、使用しにくい。
【０００６】
この発明は、以上の問題点を解決するために、ナットやボルトヘッドなどの正六角柱形状物を効果的に挟持でき、グリップを握る手を入れる空間を得やすく、使用しやすいペンチを提供することを目的とする。
【課題を解決するための手段】
【０００７】
以上の課題を解決するために、第一発明は、対象物を挟持する挟持部と、この挟持部の先端で挟持面に直交しペンチ長手方向に対して斜めに形成された傾斜面と、この傾斜面と前記挟持面との角に形成されて正六角柱形状物を挟持する凹部と、この凹部を構成し前記傾斜面にほぼ直交し互いに１２０度をなす二つのフィット面と、を有することを特徴とするペンチである。
【０００８】
第二発明は、更に、前記挟持部は、前記挟持面に直交する方向から見た形状が四角形であり、この四角形の角をカットするように前記傾斜面が形成されていることを特徴とするペンチである。
【発明の効果】
【０００９】
第一、又は第二発明によれば、正六角柱形状物を凹部で挟持すると、この凹部を構成し互いに１２０度をなす二つのフィット面が、正六角柱形状物にフィットするので、正六角柱形状物が滑りにくく、効果的な挟持ができる。よって、正六角柱形状物を廻しやすい。
また、凹部が形成される傾斜面を、固定面に沿った状態で使用すれば、固定面に対してペンチは上方へ傾斜することになり、固定面とペンチのグリップの間に、グリップを握る手を入れる空間を得やすく、使用しやすい。
【００１０】
第二発明によれば、更に、挟持部の形状が四角形であり、頑丈な挟持部すなわち顎を有するペンチが得られ、大きな力を正六角柱形状物へ伝えやすく、よって、正六角柱形状物を廻しやすい。
【図面の簡単な説明】
【００１１】
【図１】この発明の一実施形態に係るペンチの使用状態を斜め上から示す斜視図である。
【図２】図１を斜め下のＩＩ方向から見た図である。
【図３】図２の奥側の挟持部を示す斜視図である。
【図４】（Ａ）（Ｂ）（Ｃ）（Ｄ）（Ｅ）は図３を、それぞれＡ、Ｂ、Ｃ、Ｄ、Ｅの各方向から見た図である。
【図５】この発明の他の実施形態に係るペンチを示すもので、図２に対応する斜視図である。
【図６】図５の奥側の挟持部を示す斜視図である。
【図７】図６の作用を示す断面図である。
【発明を実施するための形態】
【００１２】
この発明の一実施形態に係るペンチを、図１〜図４に示す。
このペンチ１は第１部材３と第２部材５が対となり、ジョイント部７で結合され、ジョイント部７を軸として回動可能になっている。各部材３、５のジョイント部７よりも前方は、円弧状に湾曲した形状の先端に、挟持部９が形成される。挟持部９には、道具としてのペンチ１が、対象物である金具や材料を挟持するために、挟持面１１が形成される。挟持面１１は、一対が合わされて使用され、摩擦を大きくするための波状の凹凸１３が形成される。各部材３、５のジョイント部７よりも後方は、大きく外側へ湾曲しグリップ１５が形成される。
【００１３】
対象物を挟持する挟持部９は、挟持面１１に直交する方向から見た形状が四角形で（図２、図４（Ｅ））、頑丈な顎となっている。挟持部９の先端に、すなわち、この四角形の一方の角をカットするように、傾斜面１７が形成される（図２、図４（Ｅ））。この傾斜面１７は、挟持面１１に直交し、ペンチ長手方向に対して斜めに形成される（図１）。
【００１４】
この傾斜面１７と挟持面１１との角に凹部１９（図３参照）を形成する。この一対の凹部１９によって、ナット２０やボルトヘッドなどの正六角柱形状物を、両側から挟持する。
凹部１９は、傾斜面１７に接して、二つのフィット面２１Ａ、２１Ｂを有して構成されることで、正六角柱形状物にフィットする。二つのフィット面２１Ａ、２１Ｂは、傾斜面１７にほぼ直交する。もっとも完全な直交ではない。その理由は、挟持部９の顎が開いて、正六角柱形状物を挟持した際に、正六角柱形状物に凹部１９がフィットするよう、凹部１９の奥側ほど凹みが深くなるように凹部１９が形成され、そのため、やや９０度よりも小さな角度で交差するためである。また、フィット面２１Ａ、２１Ｂは、隣り合い、互いに１２０度をなす。凹部１９の奥の底面２３は、二つのフィット面２１Ａ、２１Ｂにほぼ直交する。これらの３つの面で凹部１９が構成される。
【００１５】
「実施形態の効果」
（１）この実施形態のペンチ１によれば、図１、図２に示すように、ナット２０やボルトヘッドなどの正六角柱形状物を、両側から凹部１９で挟持すると、この凹部１９を構成し互いに１２０度をなす二つのフィット面２１Ａ、２１Ｂが、正六角柱形状物の両側の１２０度の角にぴたりと密着し、フィットする。このため、正六角柱形状物が滑りにくく、効果的な挟持ができる。よって、正六角柱形状物を容易に廻しやすい。
【００１６】
（２）また、図１に示すように、凹部１９が形成される傾斜面１７を、ナット２０やボルトヘッドなどが設けられる固定面Ｇに沿った状態で使用することで、固定面Ｇに対してペンチ１は上方へ傾斜することになり、固定面とペンチ１のグリップ１５の間に、グリップ１５を握る手を入れる空間Ｓを得やすく、使用しやすい。
（３）更に、挟持部９の形状が四角形であり、頑丈な挟持部９すなわち顎を有するペンチ１が得られ、大きな力を正六角柱形状物へ伝えやすく、よって、正六角柱形状物を廻しやすい。
【００１７】
「他の実施形態」
以上の実施形態では、挟持部９の凹部１９が、両方の挟持部９に形成されるものであったが、他の実施形態では、片方の挟持部９だけに形成されるものでもよい。
以上の実施形態では、凹部１９を構成する二つのフィット面２１Ａ、２１Ｂは、隣り合い、よって、奥の底面２３と二つのフィット面２１Ａ、２１Ｂの３つの面で凹部１９が構成されるものであったが、他の実施形態では、凹部１９は他の形状をなすこともできる。
【００１８】
例えば、図５，図６に示すように、凹部１９は、傾斜面１７に接して、二つのフィット面２１Ａ、２１Ｂ、を有して構成されるものの、これら二つのフィット面２１Ａ、２１Ｂは、間に位置する円弧状断面の曲面２５を挟んで配置される。そして、円弧状断面の曲面２５を挟んで、互いに１２０度をなす。凹部１９の奥の底面２３は、二つのフィット面２１Ａ、２１Ｂ、及び曲面２５にほぼ直交する。これらの４つの面２１Ａ、２１Ｂ、２３、２５で凹部１９が構成される。
このような形状の凹部１９としても、図７に示すように、ナット２０やボルトヘッドなどの正六角柱形状物を、両側から凹部１９で挟持すると、曲面２５を挟んで互いに１２０度をなす二つのフィット面２１Ａ、２１Ｂが、正六角柱形状物の両側の１２０度の角に密着し、フィットする。このため、正六角柱形状物が滑りにくく、効果的な挟持ができるので、正六角柱形状物を容易に廻しやすい。
【００１９】
以上の実施形態では、挟持部９が四角形である、狭い意味でのペンチ１を例に説明したが、他の実施形態では、広い意味でのペンチ１、例えばジョイント部７の結合位置をずらすことができるプライヤ等にも本発明を実施することができる。
すなわち、第１部材３と第２部材５が対となり、ジョイント部７で結合され、ジョイント部７を軸として回動可能になっていて、各部材のジョイント部７よりも前方には、挟持部９が形成され、各部材のジョイント部７よりも後方には、グリップ１５が形成される挟持を行なう道具には、この発明が実施できる。
以上の実施形態では、傾斜面１７は平面として表現したが、他の実施形態では、完全な平面ではなく、曲面などとしてもよい。
【符号の説明】
【００２０】
１…ペンチ、３…第１部材、５…第２部材、７…ジョイント部、９…挟持部、１１…挟持面、１３…凹凸、１５…グリップ、１７…傾斜面、１９…凹部、２１…フィット面、２３…底面。
【図１】
2013043220.tif 000003
【図２】
2013043220.tif 000004
【図３】
2013043220.tif 000005
【図４】
2013043220.tif 000006
【図５】
2013043220.tif 000007
【図６】
2013043220.tif 000008
【図７】
2013043220.tif 000009